【手続補正書】
【提出日】平成20年1月29日(2008.1.29)
【手続補正１】
【補正対象書類名】特許請求の範囲
【補正対象項目名】全文
【補正方法】変更
【補正の内容】
【特許請求の範囲】
【請求項１】
流体生成物（２）の計量分を分配するための流体ディスペンサー（１）であって：該ディスペンサーは、
（ａ）前記流体生成物を収容するための収納チャンバー（５７）と；
（ｂ）前記ディスペンサーから前記流体生成物を分配することができる分配用出口（２７）と；
（ｃ）該分配用出口を介して分配される前記流体生成物の計量分を提供するようにした計量チャンバー（７３）であって、前記計量分の提供が前記計量チャンバーを収縮状態（図２Ａ）と、拡張状態（図２Ｄ）との間で移動させることによりなされ、前記計量チャンバーの収縮状態から拡張状態への動きにより、前記計量チャンバーと、前記収納チャンバーとを流体連通させ、前記計量チャンバーが、計量分と、余剰分とからなる前記流体生成物の過剰量を、前記収納チャンバーから受入れ可能にした計量チャンバーと；
（ｄ）前記流体生成物の余剰分を前記計量チャンバーから放出させるようにしたブリード機構（５５ａ、５５ｂ）と；
を具備してなり；
（ｅ）前記計量チャンバーが、前記ディスペンサー内に移動自在に装着された第１の部分（４３）を有する境界壁部により画成され、それにより前記計量チャンバーをその拡張状態と収縮状態との間で移動可能にし；
（ｆ）該計量チャンバーの境界壁部の第１の部分および前記収納チャンバーが、前記ディスペンサー内に移動自在に装着された容器ユニットにより提供されていることを特徴とするディスペンサー。
【請求項２】
前記計量チャンバーと前記収納チャンバーとを流体連通させる移送孔が境界壁部に設けられ、前記計量チャンバーが拡張状態と収縮状態との間で移動することにより、前記移送孔が選択的に開口、閉塞されるようになっている請求項１記載のディスペンサー。
【請求項３】
前記移送孔が前記第１の部分に存在する請求項２記載のディスペンサー。
【請求項４】
前記移送孔が、前記計量チャンバーがその拡張状態と、収縮状態との間の中間状態にあるときに閉塞されるようになっている請求項２又は３記載のディスペンサー。
【請求項５】
前記計量チャンバーが前記中間状態にあるとき、前記計量分に相当する、又は実質的に前記計量分に相当する容積を、該計量チャンバーが有している請求項４記載のディスペンサー。
【請求項６】
前記移送孔は、前記計量チャンバーが中間状態と収縮状態との間で移動するとき閉塞され、その中間状態と拡張状態との間で移動するとき開口されるようになっている請求項４又は５記載のディスペンサー。
【請求項７】
前記境界壁部が第２の部分を有し、前記第１の部分が該第２の部分に対して前記ディスペンサー内を移動することにより前記計量チャンバーがその拡張状態と、収縮状態との間を移動可能となっている請求項１から６のいずれかに記載のディスペンサー。
【請求項８】
前記第２の部分がディスペンサー内において静止状態となっている請求項７記載のディスペンサー。
【請求項９】
前記第２の部分が、使用の際に、前記移送孔を選択的に開口ないし閉塞させるようになっている請求項２から６又は７又は８のいずれかに記載のディスペンサー。
【請求項１０】
前記境界壁部に出口孔が設けられていて、それを介して前記流体生成物の計量分が前記計量チャンバーから分配用出口に向って移送されるようになっている請求項１から９のいずれかに記載のディスペンサー。
【請求項１１】
前記出口孔が前記第２の部分に設けられている請求項７又は８に従属する場合の請求項１０記載のディスペンサー。
【請求項１２】
前記容器ユニットが、使用の際に、前記計量チャンバーへの充填および前記計量チャンバーからの内容物排出のためのポンプ機構として作動するようになっている請求項１から１１のいずれかに記載のディスペンサー。
【請求項１３】
前記計量チャンバーの収縮状態から拡張状態への動きにより前記計量チャンバーと前記収納チャンバーとの間に圧力差を生じさせ、それにより流体生成物の過剰量を前記計量チャンバー内に導入させるようにした請求項１から１２のいずれかに記載のディスペンサー。
【請求項１４】
前記計量チャンバーの拡張状態から収縮状態への動きにより前記流体生成物の計量分を該計量チャンバーから汲出すようにした請求項１から１３のいずれかに記載のディスペンサー。
【請求項１５】
前記計量チャンバーが、その異なる状態間を繰返し移動自在となっていて、それにより流体生成物の計量分を繰返し分配するようにした請求項１から１４のいずれかに記載のディスペンサー。
【請求項１６】
更に弁機構を有し、該弁機構が使用時において、前記ブリード機構が前記流体生成物の余剰分を前記計量チャンバーから流出させるまで、前記分配用出口を閉じたままの状態に維持するようになっている請求項１から１５のいずれかに記載のディスペンサー。
【請求項１７】
前記弁機構が、前記計量チャンバーが収縮状態に移動するとき前記分配用出口を開口させるようになっており、前記収縮状態が達成されたとき前記分配用出口が再び閉じるようになっている請求項１６記載のディスペンサー。
【請求項１８】
前記出口孔に弁機構を更に有し、該弁機構が前記流体生成物の計量分のみを前記分配用出口に移送させるようになっている請求項１０、１１又は請求項１０に従属する場合の請求項１２から１５のいずれかに記載のディスペンサー。
【請求項１９】
前記弁機構が、前記ブリード機構が前記流体生成物の余剰分をそこから流出させたのち、前記計量チャンバーが収縮状態に移動するとき以外は出口孔を閉塞するよう構成されている請求項１８記載のディスペンサー。
【請求項２０】
前記弁機構が逆止め弁機構である請求項１６から１９のいずれかに記載のディスペンサー。
【請求項２１】
前記分配用出口が前記ディスペンサーのノズル内にある請求項１から２０のいずれかに記載のディスペンサー。
【請求項２２】
前記ノズルが吸い口又は鼻用ノズルとして構成されている請求項２１記載のディスペンサー。
【請求項２３】
前記ブリード機構が、使用時において、前記計量チャンバー内の前記流体生成物の余剰分を前記収納チャンバーに流出させるようになっている請求項１から２２のいずれかに記載のディスペンサー。
【請求項２４】
前記ブリード機構が、使用時において、前記流体生成物の余剰分を移送孔を介して前記収納チャンバーに流出させるようになっている請求項２に従属する場合の請求項２３記載のディスペンサー。
【請求項２５】
前記収納チャンバーが、前記計量チャンバーに移送される前記過剰量に応答して拡張状態から収縮状態に移動するようになっている請求項１から２４のいずれかに記載のディスペンサー。
【請求項２６】
前記収納チャンバーが、そこに逆流される余剰分に応答して拡張状態に復帰するようになっている請求項２３又は２４に従属する場合の請求項２５記載のディスペンサー。
【請求項２７】
前記収納チャンバーが、
（ｉ）前記計量チャンバーの、その収縮状態から拡張状態への動きにより該計量チャンバーに移送される前記過剰量に応答して、拡張状態から収縮状態へ移動し、
（ｉｉ）前記計量チャンバーの、その拡張状態から収縮状態への動きにより該収納チャンバーに逆流される前記余剰分に応答して、拡張状態に復帰するようになっており；
前記弁機構が、前記収納チャンバーをその拡張状態に戻すのに要する圧力よりも大きい開口圧閾値を有し、それにより該弁機構が流体生成物の余剰分を流出させる間において閉じたままの状態に維持されるようにしたことを特徴とする請求項１６から２０のいずれかに従属する場合の請求項２４記載のディスペンサー。
【請求項２８】
使用時において、前記流体生成物の過剰量を前記計量チャンバーに移送する前の収納チャンバーの拡張状態の容積が、前記余剰分の収納チャンバーへの再循環後の拡張状態の容積よりも大きいことを特徴とする請求項２６又は２７記載のディスペンサー。
【請求項２９】
前記収納チャンバーが、前記計量チャンバーの拡張状態と、収縮状態との間の動きにより生じた圧力により拡張状態と、収縮状態との間で移動するようになっている請求項２５から２８のいずれかに記載のディスペンサー。
【請求項３０】
前記収納チャンバーが、第１の部分と、第２の部分とを有する境界壁を有し、これら部分が互いに対して移動自在になっていて、これにより前記収納チャンバーを拡張状態又は収縮状態にさせるようになっている請求項２５から２９のいずれかに記載のディスペンサー。
【請求項３１】
前記移送孔が収納チャンバーの境界壁の前記第１の部分内に設けられ、前記収納チャンバーの境界壁の前記第２の部分が前記移送孔から離間している請求項２に従属する場合の請求項３０記載のディスペンサー。
【請求項３２】
使用時において、前記収納チャンバーの境界壁の前記第２の部分の前記移送孔からの離間の大きさが前記計量チャンバーの拡張状態と、収縮状態との間の各サイクルの動きの後に減少するようになっている請求項３１記載のディスペンサー。
【請求項３３】
前記収納チャンバーの境界壁の前記第２の部分が、該収納チャンバーの境界壁の前記第１の部分上に摺動自在に装着されている請求項３０から３２のいずれかに記載のディスペンサー。
【請求項３４】
前記収納チャンバーの境界壁の前記第２の部分が、前記収納チャンバーの境界壁の前記第１の部分上に気密的に摺動自在に装着されている前記収納チャンバーの末端壁部を表している請求項３３記載のディスペンサー。
【請求項３５】
前記収納チャンバーの境界壁の前記第１の部分が、前記計量チャンバーの境界壁の前記第１の部分を含むものである請求項３０から３４のいずれかに記載のディスペンサー。
【請求項３６】
前記容器ユニットが、ディスペンサー内において並進移動可能に設けられている請求項１から３５のいずれかに記載のディスペンサー。
【請求項３７】
軸を有し、使用時に前記容器ユニットが該軸に沿って移動するようになっている請求項１から３６のいずれかに記載のディスペンサー。
【請求項３８】
前記軸上に前記収納チャンバーおよび前記計量チャンバーが配置されている請求項３７記載のディスペンサー。
【請求項３９】
前記軸上に前記出口孔が配置されている請求項１０に従属する場合の請求項３７又は３８記載のディスペンサー。
【請求項４０】
前記軸上に前記分配用出口が配置されている請求項３７、３８又は３９記載のディスペンサー。
【請求項４１】
前記出口孔および前記分配用出口がディスペンサーの軸方向通路の対向端部に設けられている請求項４０記載のディスペンサー。
【請求項４２】
前記収納チャンバー、前記計量チャンバーおよび前記ノズルが、直列構造で設けられている請求項２１又は請求項２１に従属するいずれかの請求項に記載のディスペンサー。
【請求項４３】
前記収納チャンバー、前記計量チャンバーおよび前記出口孔が、直列構造で設けられている請求項１０又は請求項１０に従属するいずれかの請求項に記載のディスペンサー。
【請求項４４】
前記計量チャンバーの境界壁の前記第１の部分が前記計量チャンバーの境界壁の前記第２の部分上に摺動自在に設けられている請求項７又は請求項７に従属するいずれかの請求項に記載のディスペンサー。
【請求項４５】
前記計量チャンバーの境界壁の前記第１の部分が前記計量チャンバーの境界壁の前記第２の部分上に気密的に摺動自在に設けられている請求項４４記載のディスペンサー。
【請求項４６】
前記計量チャンバーの境界壁の前記第１の部分が、前記計量チャンバーの軸方向に配向された側の少なくとも一部を表している請求項３７から４１、又は４４又は４５のいずれかに記載のディスペンサー。
【請求項４７】
前記移送孔が前記計量チャンバーの軸方向に配向された側に設けられている請求項３に従属する場合の請求項４６記載のディスペンサー。
【請求項４８】
前記計量チャンバーの境界壁の前記第１の部分が、前記計量チャンバーの可動末端壁を具現化している請求項１から４７のいずれかに記載のディスペンサー。
【請求項４９】
前記計量チャンバーの境界壁の前記第１の部分が略Ｕ字形をなしている請求項１から４８のいずれかに記載のディスペンサー。
【請求項５０】
前記計量チャンバーの末端壁がＵ字形の基部により具現化され、該計量チャンバーの側壁がＵ字形のリムにより具現化されている請求項４６、４８又は４９記載のディスペンサー。
【請求項５１】
前記計量チャンバーの境界壁の前記第２の部分が、軸方向に配向した面を有する構造により具現化され、該軸方向配向面上に前記計量チャンバーの側面が摺動自在に装着されている請求項７に従属する場合の請求項４６、４７又は５０記載のディスペンサー。
【請求項５２】
前記構造の軸方向配向面が外側表面である請求項５１記載のディスペンサー。
【請求項５３】
前記計量チャンバーの境界壁の前記第２の部分が前記計量チャンバーの末端壁を表している請求項７又は請求項７に従属するいずれかの請求項に記載のディスペンサー。
【請求項５４】
前記計量チャンバーの境界壁の前記第２の部分が略Ｕ字形の構造により具現化されている請求項７又は請求項７に従属するいずれかの請求項に記載のディスペンサー。
【請求項５５】
前記Ｕ字形構造の基部が前記計量チャンバーの末端壁面を表し、該Ｕ字形構造のリムが軸方向配向面を表している請求項５１、５２、５３又は５４記載のディスペンサー。
【請求項５６】
前記計量チャンバーの境界壁の前記第１の部分が、前記容器ユニットの外側表面内において雌型窪みとして形成されている請求項１から５５のいずれかに記載のディスペンサー。
【請求項５７】
前記計量チャンバーの境界壁の前記第２の部分が、雄型突起として形成され、該突起が前記雌型窪み内に挿入されるようになっている請求項７に従属する場合の請求項５６記載のディスペンサー。
【請求項５８】
前記窪みが前記収納チャンバー内に延出している請求項５６又は５７記載のディスペンサー。
【請求項５９】
前記窪みが前記収納チャンバーにより囲まれている請求項５８記載のディスペンサー。
【請求項６０】
前記計量チャンバーが前記収納チャンバーの少なくとも一部により囲まれている請求項１から５９のいずれかに記載のディスペンサー。
【請求項６１】
前記収納チャンバーの少なくとも一部が前記計量チャンバーと同軸に配置されている請求項６０記載のディスペンサー。
【請求項６２】
前記計量チャンバーがその収縮状態にあるとき、前記計量チャンバーの容積がゼロ又は実質的にゼロである請求項１から６１のいずれかに記載のディスペンサー。
【請求項６３】
前記計量チャンバーの境界壁の前記第１および第２の部分が収縮状態において接触するようになっている請求項７に従属する場合の請求項６２記載のディスペンサー。
【請求項６４】
前記計量チャンバーの境界壁の前記第１および第２の部分が相補的形状をなしている請求項６３記載のディスペンサー。
【請求項６５】
前記第１および第２の部分が収縮状態において入れ子式に重なるようになっている請求項６３又は６４記載のディスペンサー。
【請求項６６】
前記計量チャンバーの境界壁の前記第１の部分が、前記計量チャンバーの収縮状態において出口孔を閉じるようになっている請求項１１又は請求項１１に従属するいずれかの請求項に記載のディスペンサー。
【請求項６７】
手持ち式のものである請求項１から６６のいずれかに記載のディスペンサー。
【請求項６８】
前記計量チャンバーのその異なる状態間の動きを駆動するための手動駆動機構を有する請求項１から６７のいずれかに記載のディスペンサー。
【請求項６９】
前記駆動機構が手動による係合可能な駆動部材を有し、前記容器ユニットを移動させるべく前記駆動部材が容器ユニットに操作自在に結合し、それにより前記計量チャンバーがその異なる状態間のサイクルを完了させるようになっている請求項６８記載のディスペンサー。
【請求項７０】
該駆動部材がディスペンサー上に移動自在に装着され、該駆動部材の動きが前記計量チャンバーの異なる状態間の動きの完全なサイクルを生じさせるようになっている請求項６９記載のディスペンサー。
【請求項７１】
前記駆動部材の単一方向への動きが前記計量チャンバーの異なる状態間の完全なサイクルを生じさせるようになっている請求項７０記載のディスペンサー。
【請求項７２】
前記単一方向がディスペンサーに対して内側である請求項７１記載のディスペンサー。
【請求項７３】
前記駆動部材が外側方向に付勢されている請求項７２記載のディスペンサー。
【請求項７４】
前記駆動部材がトリガー部材である請求項６９から７３のいずれかに記載のディスペンサー。
【請求項７５】
前記駆動部材がディスペンサー上に枢着されている請求項６９から７４のいずれかに記載のディスペンサー。
【請求項７６】
前記分配用出口がディスペンサーの上端に位置し、前記駆動部材がディスペンサーの側面に装着されている請求項６９から７５のいずれかに記載のディスペンサー。
【請求項７７】
前記駆動部材が、その下端に枢支点を有する請求項７５又は７６記載のディスペンサー。
【請求項７８】
前記計量チャンバーが収縮状態にある静止状態を有する請求項１から７７のいずれかに記載のディスペンサー。
【請求項７９】
静止状態において、前記容器ユニットが前記ディスペンサー内における静止位置に配置され、前記駆動機構により容器ユニットが１つのサイクルを通過するよう駆動され、このサイクルは静止位置で開始され、かつ、終了し、更にプライミング位置を通過し、該位置で前記計量チャンバーが該駆動機構の操作により拡張状態をとるようになっていることを特徴とする請求項６８から７７のいずれかに従属する場合の請求項７８記載のディスペンサー。
【請求項８０】
前記駆動機構が容器ユニットを静止位置に付勢する請求項７９記載のディスペンサー。
【請求項８１】
前記収納チャンバー内に流体生成物を収容してなる請求項１から８０のいずれかに記載のディスペンサー。
【請求項８２】
前記流体生成物が液体、粘性製品、粉体および気体からなる群から選択されるものである請求項８１記載のディスペンサー。
【請求項８３】
前記流体生成物が薬剤である請求項８１又は８２記載のディスペンサー。
【請求項８４】
前記流体生成物が保存剤無添加のものである請求項８１、８２又は８３記載のディスペンサー。
【請求項８５】
前記ブリード機構が、前記計量チャンバーの拡張状態から収縮状態への動きにより、流体生成物の余剰分を該計量チャンバーから流出させるようになっている請求項１から８４のいずれかに記載のディスペンサー。
【請求項８６】
前記計量チャンバーが入口孔を有し、該入口孔を介して該計量チャンバーおよび前記収納チャンバーが互いに流体連通するようになっており、更に、前記入口孔に入口弁機構が設けられており、該入口弁機構が前記入口孔と連動して前記入口孔を選択的に開口および閉塞させるようになっており、前記計量チャンバーがその収縮状態から拡張状態に移動するとき前記入口弁機構が前記入口孔を開口させるようになっている請求項１から８５のいずれかに記載のディスペンサー。
【請求項８７】
前記入口弁機構が逆止め弁である請求項８６記載のディスペンサー。
【請求項８８】
前記圧力差により、前記入口弁機構が前記入口孔を開口させるようになっている請求項１３に従属する場合の請求項８６又は８７記載のディスペンサー。
【請求項８９】
前記入口弁機構が付勢機構を有し、それにより該入口弁機構を付勢して前記入口孔を閉塞させるようになっている請求項８６、８７又は８８記載のディスペンサー。
【請求項９０】
前記入口弁機構が、前記計量チャンバーの収縮状態から拡張状態への動きの初期段階において、前記入口孔を開口させるようになっている請求項８６から８９のいずれかに記載のディスペンサー。
【請求項９１】
前記計量チャンバーの収縮状態から拡張状態への動きにより、前記入口孔の開口時において、この開口した前記入口孔が、前記流体生成物が前記収納チャンバーから前記計量チャンバーへ導入される唯一の流路である請求項８６から９０のいずれかに記載のディスペンサー。
【請求項９２】
前記分配用出口が該分配ユニットの分配用出口であり、使用時に、該分配用出口を介して前記流体生成物の計量分を外部環境に分配するようになっている請求項１から９１のいずれかに記載のディスペンサーを有する分配ユニット。
【請求項９３】
前記分配用出口が該装置ユニットの内部出口であり、使用時に、該内部出口を介して流体生成物の計量分を該装置ユニット内に分配するようになっている請求項１から９１のいずれかに記載のディスペンサーを有する装置ユニット。
【請求項９４】
更に、前記装置ユニットの周りの外部環境に開口する分配用出口と、前記内部出口を介して分配された前記流体生成物を前記分配用出口を介して外部環境に搬送する手段とを具備してなる請求項９３記載の装置ユニット。
【請求項９５】
前記搬送手段が前記流体生成物の状態を変化させるようになっている請求項９４記載の装置ユニット。
【請求項９６】
前記搬送手段が振動素子を有し、前記ディスペンサーにより分配された液体をエアゾール化するようにした請求項９４又は９５記載の装置ユニット。
【請求項９７】
前記振動素子が圧電素子である請求項９６記載の装置ユニット。